(57)【要約】【課題】位相変調機能を有する基板型光導波路において、コプレーナ線路を介して入力される信号の反射を抑えつつ、低消費電力化を図る。【解決手段】基板型光導波路（１）において、コア（１３）を伝播する光の進行方向と直交する断面によって基板型光導波路（１）を複数の区間（Ｉ１〜Ｉ３）に区画したときに、各区間における局所的なキャパシタンスを、入射端面（１Ａ）から遠ざかるに従って次第に大きくする。【選択図】図１
2018036398.tif 000002
【特許請求の範囲】
【請求項１】
下部クラッドと、
上記下部クラッドの上面に形成されたコアであって、Ｐ型半導体領域及びＮ型半導体領域を含むコアと、
上記コアを埋設するように上記下部クラッド上に積層された上部クラッドと、
上記上部クラッドの上面に形成されたコプレーナ線路であって、上記Ｐ型半導体領域及び上記Ｎ型半導体領域の一方に接続された進行波電極と他方に接続された接地導体とからなるコプレーナ線路と、を備えた基板型光導波路において、
上記コアを伝播する光の進行方向と直交する断面によって当該基板型光導波路を複数の区間に区画したときに、上記複数の区間の各々における局所的なキャパシタンスが、当該基板型光導波路の入射端面から遠ざかるに従って次第に大きくなる、
ことを特徴とする基板型光導波路。
【請求項２】
上記複数の区間の各々における上記Ｐ型半導体領域と上記Ｎ型半導体領域との間隔が、当該基板型光導波路の入射端面から遠ざかるに従って次第に狭くなる、
ことを特徴とする請求項１に記載の基板型光導波路。
【請求項３】
上記Ｐ型半導体領域及び上記Ｎ型半導体領域は、上記コアを伝播する光の進行方向に沿って間欠的に形成されており、
上記複数の区間の各々において上記Ｐ型半導体領域及び上記Ｎ型半導体領域が形成されている小区間が占める長さの割合が、当該基板型光導波路の入射端面から遠ざかるに従って次第に大きくなる、
ことを特徴とする請求項１に記載の基板型光導波路。
【請求項４】
上記進行波電極と上記接地導体との間隔が、当該基板型光導波路の入射端面から遠ざかるに従って狭くなる、
ことを特徴とする請求項１〜３の何れか１項に記載の基板型光導波路。
【請求項５】
上記進行波電極の出射端には、終端抵抗が接続されており、
上記終端抵抗の抵抗値は、当該基板型光導波路の特性インピーダンスと整合している、
ことを特徴とする請求項１〜４の何れか１項に記載の基板型光導波路。
【請求項６】
上記コアは、リブ・スラブ型であり、上記Ｐ型半導体領域と上記Ｎ型半導体領域との境界面は、上記コアのリブ内に配置されている、
ことを特徴とする請求項１〜５の何れか１項に記載の基板型光導波路。
【請求項７】
請求項１〜６の何れか１項に記載の基板型光導波路を位相変調部として含んでいることを特徴とする基板型光変調器。
【発明の詳細な説明】
【技術分野】
【０００１】
本発明は、位相変調機能を有する基板型光導波路に関する。また、そのような基板型光導波路を位相変調部として含む基板型光変調器に関する。
【背景技術】
【０００２】
光通信の分野では、基板型光導波路を用いて光変調器を実現する技術が実用化されている。例えば、基板型光導波路のコアにＰ型半導体領域とＮ型半導体領域とを形成することによって、その基板型光導波路に位相変調機能を持たせることができる。このような基板型光導波路においては、Ｐ型半導体領域とＮ型半導体領域との間に印加される信号電圧に応じてコアの実効屈折率が変化する。基板型光導波路に対する信号の入力には、例えば、基板型光導波路の表面に形成されたコプレーナ線路が用いられる。
【０００３】
位相変調機能を有する基板型光導波路を開示した文献としては、例えば、特許文献１〜３などがある。
【先行技術文献】
【特許文献】
【０００４】
【特許文献１】特開２０１５−１２９９０６号公報（２０１５年７月１６日公開）
【特許文献２】特開２０１５−１４８７１１号公報（２０１５年８月２０日公開）
【特許文献３】米国特許第８，１４９，４９３号明細書（２０１２年４月３日登録）
【発明の概要】
【発明が解決しようとする課題】
【０００５】
位相変調器を有する基板型光導波路において、低消費電力化を図るためには、コアの実効屈折率を所定の値に制御するためにＰ型半導体領域及びＮ型半導体領域に印加するべき電圧（以下、「変調電圧」と記載）Ｖｐｉを小さく抑えることが重要である。変調電圧Ｖｐｉを小さく抑えるためには、Ｐ型半導体領域及びＮ型半導体領域のキャリア密度を高くすることによって、Ｐ型半導体領域とＮ型半導体領域との間隔（すなわち、空乏層の幅）を狭くする構成や、Ｐ型半導体領域とＮ型半導体領域とが対向する区間を長くする構成を採用することによって、基板型光導波路のキャパシタンスＣを大きくすればよい。
【０００６】
しかしながら、これらの構成を採用することによって、基板型光導波路のキャパシタンスＣを大きくすると、基板型光導波路の特性インピーダンスが前段回路のインピーダンスと整合しなくなる。そうすると、コプレーナ線路を介して基板型光導波路に入力されるべき信号が反射され、生じた反射波が信号源であるドライバ回路に悪影響を与える。
【０００７】
本発明は、上記の課題に鑑みてなされたものであり、その目的は、位相変調機能を有する基板型光導波路において、コプレーナ線路を介して入力される信号の反射を抑えつつ、低消費電力化を図ることにある。
【課題を解決するための手段】
【０００８】
本発明に係る基板型光導波路は、下部クラッドと、上記下部クラッドの上面に形成されたコアであって、Ｐ型半導体領域及びＮ型半導体領域を含むコアと、上記コアを埋設するように上記下部クラッド上に積層された上部クラッドと、上記上部クラッドの上面に形成されたコプレーナ線路であって、上記Ｐ型半導体領域及び上記Ｎ型半導体領域の一方に接続された進行波電極と他方に接続された接地導体とからなるコプレーナ線路と、を備えた基板型光導波路において、上記コアを伝播する光の進行方向と直交する断面によって当該基板型光導波路を複数の区間に区画したときに、上記複数の区間の各々における局所的なキャパシタンスが、当該基板型光導波路の入射端面から遠ざかるに従って次第に大きくなる、ことを特徴とする。
【０００９】
上記の構成によれば、上記基板型光導波路の特性インピーダンスを左右する、上記入射端面近傍における上記基板型光導波路の局所的なキャパシタンスを保ったまま、上記基板型光変調器の変調電圧を左右する、上記基板型光導波路の大域的なキャパシタンス（各区間における局所的なキャパシタンスの平均値）を小さくすることができる。したがって、上記基板型光導波路の特性インピーダンスを保ったまま、上記基板型光導波路の変調電圧を小さくすることができる。すなわち、コプレーナ線路を介して上記基板型光導波路に入力される信号の反射を抑えつつ、上記基板型光導波路の消費電力を低減することができる。
【００１０】
なお、上記複数の区間の各々における上記基板型光導波路の局所的なキャパシタンスを、入射端面から遠ざかるに従って次第に大きくするための形態としては、（１）上記複数の区間の各々における上記Ｐ型半導体領域と上記Ｎ型半導体領域との間隔を、上記入射端面から遠ざかるに従って次第に狭くする形態、又は、（２）上記Ｐ型半導体領域及び上記Ｎ型半導体領域を、上記光の進行方向に沿って間欠的に形成すると共に、上記複数の区間の各々において上記Ｐ型半導体領域及び上記Ｎ型半導体領域が形成されている小区間が占める長さの割合を、上記入射端面から遠ざかるに従って次第に大きくする形態が採用し得る。
【００１１】
何れの形態であっても、入射端面近傍において生じ得る、上記コプレーナ線路を伝送される信号の反射を抑えつつ、低消費電力化を図ることができる。
【００１２】
本発明に係る基板型光導波路においては、上記進行波電極と上記接地導体との間隔が、当該基板型光導波路の入射端面から遠ざかるに従って狭くなる、ことが好ましい。
【００１３】
上記基板型光導波路においては、下記の式（１）により近似することができる高周波損失が存在する。下記の（１）式において、Ｒ、Ｃ、及びＬは、それぞれ、基板型光導波路の抵抗、キャパシタンス、及びインダクタンスである。
【数１】
2018036398.tif 000003
【００１４】
上記の式（１）から分かるように、Ｒ／ωＬ≪ωＲＣとなる周波数領域においては、高周波損失がキャパシタンスＣの３／２乗に比例し、インダクタンスＬの１／２乗に比例する。
【００１５】
上記の構成によれば、上記基板型光導波路の特性インピーダンスを左右する、上記入射端面近傍における上記基板型光導波路の局所的なインダクタンスを保ったまま、上記基板型光導波路の高周波損失を左右する、上記基板型光導波路の大域的なインダクタンス（各区間における局所的なインダクタンスの平均値）を小さくすることができる。したがって、上記基板型光導波路の入力側の特性インピーダンスを保ったまま、上記基板型光導波路の高周波損失を小さくすることができる。
【００１６】
更に、高周波信号の速度ｖはｖ≒１／（ＬＣ）１／２で近似できるために、上記の構成によれば、高周波信号の速度を一定に保つことが可能になる。高周波信号の速度と光の速度が異なった場合、光を効率よく変調する事ができない。したがって、インダクタンスとキャパシタンスの双方を変化させることで更なる低消費電力動作も可能となる。
【００１７】
本発明に係る基板型光導波路において、上記進行波電極の出射端には、終端抵抗が接続されており、上記終端抵抗の抵抗値は、当該基板型光導波路の特性インピーダンスと整合している、ことが好ましい。
【００１８】
上記の構成によれば、低周波領域及び高周波領域の双方において上記進行波電極の入射端で生じる反射を抑えると共に、低周波領域において上記進行波電極の出射端で生じる反射を抑制することができる。なお、高周波領域において上記進行波電極の出射端で生じる反射は、上記進行波電極を逆方向に伝播する過程で大きく減衰するため、前段回路に悪影響は問題にならない。
【００１９】
本発明に係る基板型光導波路において、上記コアは、リブ・スラブ型であり、上記Ｐ型半導体領域と上記Ｎ型半導体領域との境界面は、上記コアのリブ内に配置されている、ことが好ましい。
【００２０】
上記の構成によれば、コアを伝播する光が偏在するリブ内に空乏層が形成されるので、コアを伝播する光をより効率的に変調することができる。
【発明の効果】
【００２１】
本発明によれば、コプレーナ線路を介して入力される信号の反射を抑えつつ、低消費電力化を図ることができる。
【図面の簡単な説明】
【００２２】
【図１】（ａ）は、本発明の一実施形態に係る基板型光導波路の平面図であり、（ｂ）は、同基板型光導波路の入射端面近傍における矢視断面図であり、（ｃ）は、同基板型光導波路の出射端面近傍における矢視断面図である。
【図２】（ａ）は、実施例に係る基板型光導波路の平面図であり、（ｂ）は、比較例に係る基板型光導波路の平面図である。
【図３】（ａ）は、図２の（ａ）及び（ｂ）に示した基板型光導波路の反射係数Ｓ１１の周波数依存性を示すグラフである。（ｂ）は、図２の（ａ）及び（ｂ）に示した基板型光導波路の透過係数Ｓ１２の周波数依存性を示すグラフである。
【図４】第１の変形例に係る基板型光導波路の平面図である。
【図５】第２の変形例に係る基板型光導波路の平面図である。
【図６】図１に示す基板型光導波路を位相変調部として含む基板型光変調器の平面図である。
【発明を実施するための形態】
【００２３】
〔基板型光導波路の構成〕
本発明の一実施形態に係る基板型光導波路１の構成について、図１を参照して説明する。図１において、（ａ）は、基板型光導波路１の平面図であり、（ｂ）は、入射端面１Ａ近傍のＡＡ’断面における基板型光導波路１の矢視断面図であり、（ｃ）は、出射端面１Ｂ近傍のＢＢ’断面における基板型光導波路１の矢視断面図である。図１に示す基板型光導波路１は、位相変調機能を有する基板型光導波路であり、基板型光変調器の一部と見做すこともできる。
【００２４】
基板型光導波路１は、図１の（ｂ）及び（ｃ）に示すように、（１）シリコン基板１１と、（２）シリコン基板１１上に積層された下部クラッド１２と、（３）下部クラッド１２の上面に形成されたコア１３と、（４）コア１３を埋設するように下部クラッド１２上に積層された上部クラッド１４と、（５）上部クラッド１４の上面に形成されたコプレーナ線路１５と、を備えている。コプレーナ線路１５は、進行波電極１５ａと、進行波電極１５ａを挟み込むように配置された１対の接地導体１５ｂ〜１５ｃとにより構成されている。図１において、符号１Ａは、基板型光導波路１の入射端面を表し、符号１Ｂは、基板型光導波路１の出射端面を表す。
【００２５】
コア１３を光導波路として機能させるべく、下部クラッド１２及び上部クラッド１４は、コア１３を構成する媒質よりも屈折率の低い媒質により構成されている。本実施形態において、コア１３は、シリコンにより構成されており、下部クラッド１２及び上部クラッド１４は、シリコンよりも屈折率の高いシリカにより構成されている。このため、入射端面１Ａを介してコア１３に入射した光は、コア１３に閉じ込められたまま入射端面１Ａから出射端面１Ｂまで伝播し、出射端面１Ｂを介してコア１３から出射する。すなわち、コア１３は、光導波路として機能する。
【００２６】
光導波路として機能するコア１３を更に位相変調器として機能させるべく、コア１３には、ホウ素などの３価の元素がドープされた、Ｐ型半導体として機能するＰ型半導体領域１３ａと、リンなどの５価の元素がドープされた、Ｎ型半導体として機能するＮ型半導体領域１３ｂとが、入射端面１Ａから出射端面１Ｂまでの全区間に亘って形成されている。Ｐ型半導体領域１３ａ及びＮ型半導体領域１３ｂのうち、一方（本実施形態においては、Ｐ型半導体領域１３ａ）は、入射端面１Ａから出射端面１Ｂまでの全区間に亘って進行波電極１５ａに接続されており、他方（本実施形態においては、Ｎ型半導体領域１３ｂ）は、入射端面１Ａから出射端面１Ｂまでの全区間に亘って接地導体１５ｂに接続されている。このため、進行波電極１５ａの入射端（入射端面１Ａ側の端部）に信号電圧が印加されると、Ｐ型半導体領域１３ａとＮ型半導体領域１３ｂとの境界近傍には、信号電圧に応じた幅の空乏層１３ｃが形成され、その結果、コア１３の実効屈折率は、信号電圧に応じた値に変化する。それゆえ、入射端面１Ａを介してコア１３に入射した信号光は、コア１３を伝播する過程で位相変調される。すなわち、コア１３は、位相変調器として機能する。
【００２７】
なお、本実施形態において、コア１３として、リブ・スラブ型のコアを用い、Ｐ型半導体領域１３ａとＮ型半導体領域１３ｂとの境界面を、コア１３のリブ内に配置している。ここで、「リブ・スラブ型のコア」とは、コア１３を伝播する光の進行方向に直交する断面形状が逆Ｔ字型となるコアのことを指す。リブ・スラブ型のコアでは、コア１３を伝播する光を両端部（「スラブ」とも呼ばれる）よりも高さの高い中央部（「リブ」とも呼ばれる）に偏在させることができる。また、Ｐ型半導体領域１３ａとＮ型半導体領域１３ｂとの境界面をリブ内に配置することによって、コア１３を伝播する光が偏在する領域と空乏層１３ｃが形成される領域とが重なるので、コア１３を伝播する光の位相変調をより効率的に行うことができる。
【００２８】
本実施形態に係る基板型光導波路１の第１の特徴点は、図１の（ａ）に示すように、コア１３を伝播する光の進行方向と直交する断面によって基板型光導波路１を複数の区間Ｉ１、Ｉ２、Ｉ３に区画したときに、各区間ＩｊにおけるＰ型半導体領域１３ａとＮ型半導体領域１３ｂとの間隔（すなわち、空乏層１３ｃの幅）Ｄｊが入射端面１Ａから遠ざかるに従って狭くなる点である。これにより、基板型光導波路１の特性インピーダンスＺを左右する、入射端面１Ａ近傍における基板型光導波路１の局所的なキャパシタンスＣ１を保ったまま、基板型光導波路１の変調電圧Ｖｐｉを左右する、基板型光導波路１の大域的なキャパシタンスＣ（各区間Ｉｊにおける局所的なキャパシタンスＣｊの平均値）を小さくすることができる。したがって、基板型光導波路１の特性インピーダンスＺを保ったまま、基板型光導波路１の変調電圧Ｖｐｉを小さくすることができる。これにより、コプレーナ線路１５を介して基板型光導波路１に入力される信号の反射を抑えつつ、基板型光導波路１の消費電力を低減することができる。
【００２９】
本実施形態に係る基板型光導波路１の第２の特徴点は、図１の（ａ）に示すように、進行波電極１５ａの出射端（出射端面１Ｂ側の端部）に終端抵抗１６が接続されている点である。終端抵抗１６の抵抗値Ｒ０は、基板型光導波路１の特性インピーダンスＺと同様、前段回路のインピーダンス（例えば、５０Ω）と整合するように決められている。
【００３０】
低周波領域（波長が基板型光導波路１の導波路長よりも長くなる周波数領域）において、コプレーナ線路１５を伝送される電磁波（信号）は、区間毎に間隔Ｄｊに応じて決まる基板型光導波路１の局所的な特性インピーダンスＺｊの変化を殆ど感じない。このため、入射端面１Ａ近傍における基板型光導波路１の局所的な特性インピーダンスＺ１が前段回路のインピーダンス（例えば５０Ω）に整合するように間隔Ｄ１が決められていれば、間隔Ｄ３に応じて決まる出射端面１Ｂ近傍における基板型光導波路１の局所的な特性インピーダンスＺ３と終端抵抗１６とが整合していなくても、出射端面１Ｂ近傍において有意な反射は生じない。このため、低周波領域においては、入射端面１Ａ近傍において生じ得る反射を抑えることに加えて、出射端面１Ｂ近傍において生じ得る反射を抑えることができる。
【００３１】
一方、高周波領域（波長が基板型光導波路１の導波路長よりも短くなる周波数領域）において、進行波電極１５ａを導波される電磁波（信号）は、区間毎に間隔Ｄｊに応じて決まる基板型光導波路１の局所的な特性インピーダンスＺｊの変化を感じる。このため、入射端面１Ａ近傍における基板型光導波路１の局所的な特性インピーダンスＺ１が前段回路のインピーダンス（例えば５０Ω）に整合するように間隔Ｄ１が決められていても、間隔Ｄ３に応じて決まる出射端面１Ｂ近傍における基板型光導波路１の局所的な特性インピーダンスＺ３と終端抵抗１６とが整合していなければ、出射端面１Ｂ近傍において有意な反射が生じる。ただし、出射端面１Ｂ近傍において生じた反射波がドライバ回路（信号電圧の信号源）に深刻な影響を与えることはない。なぜなら、高周波領域においては、出射端面１Ｂ近傍において生じた反射波は、コプレーナ線路１５を逆方向に伝播する過程で十分な（低周波領域において蒙る減衰よりも大きな）減衰を蒙るからである。
【００３２】
なお、図１の（ａ）においては、終端抵抗１６の２つの端子のうち、進行波電極１５ａに接続された端子と反対側の端子が、キャパシタを介して接地導体１５ｂ及びグランドの両方に接続される形態を例示しているが、これに限定されない。すなわち、終端抵抗１６の２つの端子のうち、進行波電極１５ａに接続された端子と反対側の端子が、キャパシタを介して接地導体１５ｂのみに接続される形態であってもよいし、終端抵抗１６の２つの端子のうち、進行波電極１５ａに接続された端子と反対側の端子が、キャパシタを介してグランドのみに接続される形態であってもよい。
【００３３】
〔基板型光導波路の効果〕
次に、基板型光導波路１の効果について、図２及び図３を参照して説明する。
【００３４】
図２の（ａ）は、実施例に係る基板型光導波路１の平面図であり、図２の（ｂ）は、比較例に係る基板型光導波路の平面図である。実施例に係る基板型光導波路１は、図２の（ａ）に示すように、コア１３を伝播する光の進行方向と直交する断面によって基板型光導波路１を４つの区間Ｉ１、Ｉ２、Ｉ３、Ｉ４に区画したときに、各区間ＩｊにおけるＰ型半導体領域１３ａとＮ型半導体領域１３ｂとの間隔（すなわち、空乏層１３ｃの幅）Ｄｊが入射端面１Ａから遠ざかるに従って狭くなる基板型光導波路である。一方、比較例に係る基板型光導波路は、図２の（ｂ）に示すように、Ｐ型半導体領域１３ａとＮ型半導体領域１３ｂとの間隔Ｄが一定の基板型光導波路である。
【００３５】
図３の（ａ）は、図２の（ａ）に示した実施例に係る基板型光導波路１と図２の（ｂ）に示した比較例に係る基板型光導波路における反射係数Ｓ１１の周波数依存性を表すグラフである。図３の（ｂ）は、図２の（ａ）に示した実施例に係る基板型光導波路１と図２の（ｂ）に示した比較例に係る基板型光導波路における透過係数Ｓ１２の周波数依存性を表すグラフである。
【００３６】
図３の（ａ）によれば、実施例に係る基板型光導波路１の方が比較例に係る基板型光導波路よりも反射係数Ｓ１１を小さくできることが確かめられる。また、図３の（ｂ）によれば、実施例に係る基板型光導波路１の方が比較例に係る基板型光導波路よりも透過係数Ｓ１２を大きくできることが確かめられる。
【００３７】
〔第１の変形例〕
図１においては、各区間ＩｊにおけるＰ型半導体領域１３ａとＮ型半導体領域１３ｂとの間隔Ｄｊを入射端面１Ａから遠ざかるに従って狭くする形態を示している。しかしながら、本実施形態に係る基板型光導波路１は、各区間ＩｊにおけるキャパシタンスＣｊが入射端面１Ａから遠ざかるに従って大きくなる構成を有するものであればよく、当該構成を実現するための形態は、図１に示す形態に限定されない。
【００３８】
図４は、本変形例に係る基板型光導波路１の平面図である。本変形例に係る基板型光導波路１においては、Ｐ型半導体領域１３ａ及びＮ型半導体領域１３ｂを、コア１３を伝播する光の進行方向に沿って間欠的に形成すると共に、コア１３を伝播する光の進行方向と直交する断面によって基板型光導波路１を複数の区間Ｉ１、Ｉ２、…、Ｉ７に区画したときに、各区間ＩｊにおいてＰ型半導体領域１３ａ及びＮ型半導体領域１３ｂが形成されている小区間Ｋｊが占める長さの割合αｊ＝（小区間Ｋｊの長さ）／（区間Ｉｊの長さ）を、入射端面１Ａから遠ざかるに従って大きくする（α１＜α２＜…＜α７）形態が採用されている。なお、各小区間Ｋｊの長さは、波長よりも短く（例えば、波長の１／１０以下に）設定されているため、反射の影響を受けず、平均のインピーダンスとして振る舞う。
【００３９】
このような形態を採用した場合でも、各区間Ｉｊにおける局所的なキャパシタンスＣｊが入射端面１Ａから遠ざかるに従って大きくなる。したがって、各区間ＩｊにおけるＰ型半導体領域１３ａとＮ型半導体領域１３ｂとの間隔Ｄｊを入射端面１Ａから遠ざかるに従って狭くする形態を採用した場合と同様の効果を得ることができる。
【００４０】
〔第２の変形例〕
図１においては、コプレーナ線路１５の形態として、進行波電極１５ａと接地導体１５ｂとの間隔を一定とする形態を示している。しかしながら、本実施形態に係る基板型光導波路１において採用し得るコプレーナ線路１５の形態は、図１に示す形態に限定されない。
【００４１】
図５は、本変形例に係る基板型光導波路１の平面図である。本変形例に係る基板型光導波路１においては、コプレーナ線路１５を構成する進行波電極１５ａと接地導体１５ｂとの間隔Ｄを入射端面１Ａから遠ざかるに従って狭くする形態が採用されている。
【００４２】
このような形態を採用することにより、基板型光導波路１の特性インピーダンスＺを左右する、入射端面１Ａ近傍における基板型光導波路１の局所的なインダクタンスＬ１を保ったまま、基板型光導波路１の高周波損失を左右する、基板型光導波路１の大域的なインダクタンスＬ（各区間Ｉｊにおける局所的なインダクタンスＬｊの平均値）を小さくすることができる。したがって、基板型光導波路１の特性インピーダンスＺを保ったまま、基板型光導波路１の高周波損失を小さくすることができる。
【００４３】
〔適用例〕
上述した基板型光導波路１を位相変調部として含む基板型光変調器１００について、図５を参照して説明する。図５は、基板型光変調器１００の上面図である。
【００４４】
基板型光変調器１００は、２つの光路にて位相変調された光を干渉させ、強度変調された光を得るマッハ・ツェンダ型の光変調器である。基板型光変調器１００は、上述した基板型光導波路１を、分岐された搬送光の一方を位相変調する位相変調部として含んでいる。分岐された搬送光の他方を位相変調する位相変調部も、上述した基板型光導波路１と対称な構造を有する基板型光導波路１’により構成される。
【００４５】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４６】
１        基板型光導波路
１Ａ      入射端面
１Ｂ      出射端面
１１      シリコン基板
１２      下部クラッド
１３      コア
１４      上部クラッド
１５      コプレーナ線路
１５ａ    進行波電極
１５ｂ    接地導体
１６      終端抵抗
１００    基板型光変調器
【図１】
2018036398.tif 000004
【図２】
2018036398.tif 000005
【図３】
2018036398.tif 000006
【図４】
2018036398.tif 000007
【図５】
2018036398.tif 000008
【図６】
2018036398.tif 000009